(57)【要約】【課題】  選択した設定データの正否を判別することができる制御システムと設定データ読み書き方法を提供する。【解決手段】  制御装置（２３）の制御定数（２１２）と、アプリケーションデータ（２１１）からなる設定データ（２１）を読み込み、該設定データを前記制御装置に書き込み、システム構築、プログラミング、モニタ、バージョンアップを行うエンジニアリングツール（２２）からなる制御システムにおいて、前記設定データは、前記制御装置の外観を格納した制御装置画像データ（２１４）と、前記制御装置の仕様を格納した制御装置仕様データ（２１３）とを備え、前記エンジニアリングツールは、前記制御装置画像データと前記制御装置仕様データを表示し、前記制御定数を前記制御装置に書き込むようにした。【選択図】図２
2007086933.tif 000002
【特許請求の範囲】
【請求項１】
制御装置の制御定数（２１２）と、アプリケーションデータ（２１１）からなる設定データ（２１）を読み込み、該設定データを前記制御装置に書き込み、システム構築、プログラミング、モニタ、バージョンアップを行うエンジニアリングツール（２２）からなる制御システムにおいて、
前記設定データは、前記制御装置の外観を格納した制御装置画像データ（２１４）と、前記制御装置の仕様を格納した制御装置仕様データ（２１３）とを備え、
前記エンジニアリングツールは、前記制御装置画像データと前記制御装置仕様データを表示し、前記制御定数を前記制御装置に書き込むことを特徴とする制御システム。
【請求項２】
前記エンジニアリングツールは、パーソナルコンピュータ上で動作することを特徴とする請求項１記載の制御システム。
【請求項３】
前記エンジニアリングツールは、パネルコンピュータ上で動作することを特徴とする請求項１記載の制御システム。
【請求項４】
制御装置の制御定数（２１２）と、アプリケーションデータ（２１１）からなる設定データ（２１）を読み込み、該設定データを前記制御装置（２３）に書き込み、システム構築、プログラミング、モニタ、バージョンアップを行うエンジニアリングツール（２２）において、
前記設定データは、前記制御装置の外観を格納した制御装置画像データ（２１４）と、前記制御装置の仕様を格納した制御装置仕様データ（２１３）とを備えるとともに、
前記エンジニアリングツールは、前記設定データを読込み、前記制御装置画像データと前記制御装置仕様データを表示し、前記制御定数を前記制御装置に書き込むことを特徴とするエンジニアリングツール。
【請求項５】
制御装置の制御定数と、アプリケーションデータからなる設定データを読み込み、該設定データを前記制御装置に書き込み、システム構築、プログラミング、モニタ、バージョンアップを行うエンジニアリングツールの設定データ読み書き方法において、
前記設定データは、前記制御装置の外観を格納した制御装置画像データと、前記制御装置の仕様を格納した制御装置仕様データとを備え、
前記設定データを読込むステップ（ステップＳＴ１）と、
前記制御装置画像データと前記制御装置仕様データを表示するステップ（ステップＳＴ２）と、
表示されたデータの正否を確認するステップ（ステップＳＴ３）と、
前記制御定数を前記制御装置に書き込むステップ（ステップＳＴ４）と、
を備えることを特徴とするエンジニアリングツールの設定データ読み書き方法。
【発明の詳細な説明】
【技術分野】
【０００１】
本発明は、制御装置への設定データの設定やモニタ等を行うエンジニアリングツールの設定データ読み書き方法と制御システムに関する。  
【背景技術】
【０００２】
ユーザが制御装置を動作させるために、制御装置メーカは、必要な各種定数の設定データを設定データファイルに格納してユーザに配布し、ユーザはエンジニアリングツールを用いて設定データファイルに格納された設定データを制御装置にダウンロードして制御装置を動作させるのが一般的に用いられている。
従来のエンジニアリングツールの設定データファイルの構成を図１に示す。図１において、１１は設定データの全体構成、１１１はアプリケーションデータ、１１２は制御定数である。アプリケーションデータ１１１は、アプリケーションがファイルの種別を識別するためのデータであり、設定データ１１２は制御装置に書き込まれて、制御装置を制御するためのものである。ユーザはエンジニアリングツール１２を使用して、制御装置に適合した設定データを選択し、選択された設定データのアプリケーションデータ１１１の内容に従って設定データ１１２をエンジニアリングツール内部の設定データ格納領域１２１に読み込み、前記設定データを制御装置１３に書き込む。設定データに制御装置の機密データが格納されている場合、データ内容を画面に表示しないため、ユーザは使用する制御装置に適合した設定データファイルをファイル名称などで把握しておき、ファイルを選択して設定データを書き込むという手順がとられていた。
【０００３】
また、図３は特許文献１に公開された空調機制御装置のデータ設定装置の例であり、３０１は空調機、３０２は制御装置、３０３は通信線、３０４はデータ設定装置、３０５は設定データファイル、３０６はフレキシブルディスクなどの記憶媒体である。機能毎にモジュール化された複数の機能モジュールプログラムの組み合わせによって構成される制御プログラムが予め組み込まれ、各機能モジュールプログラム毎に予めアドレスが割り付けられたデータレジスタを備えるとともに、各機能モジュールプログラムがデータレジスタの所定のアドレスに設定された設定データを取り込んで処理して、空調機３０１を制御するＰＬＣからなる制御装置３０２と、制御装置３０２に通信線３０３を介して接続されるとともに、複数の機能モジュールプログラムが使用する機能モジュール用データを集めたライブラリが収められたフレキシブルディスクからなる記憶媒体３０６から、所望の機能モジュール用データを選択、編集して設定データファイル３０５を作成し、設定データファイル３０５を制御装置３０２に転送することにより、制御装置３０２のデータレジスタに設定データを一括して設定するパーソナルコンピュータ等の計算機からなるデータ設定装置３０４とから構成されている。
【特許文献１】特開平１０−２７０１２号公報
【発明の開示】
【発明が解決しようとする課題】
【０００４】
従来の設定データでは、ユーザは使用する制御装置専用の設定データを把握しておかなければいけないという問題があった。また、ユーザが間違って異なる制御装置専用の設定データを選択して、制御装置に書き込んだ場合は、制御装置の動作不良または故障の原因となるという問題もあった。
本発明はこのような問題点に鑑みてなされたものであり、ユーザが設定データに対応した制御装置の情報を明示的に確認することで、選択した設定データの正否を判別することができ、設定データの選択の誤りを回避する制御システムとエンジニアリングツールの設定データ読み書き方法を提供することを目的とする。
【課題を解決するための手段】
【０００５】
上記問題を解決するため、本発明は、次のようにしたのである。
請求項１に記載の発明は、制御装置の制御定数と、アプリケーションデータからなる設定データを読み込み、該設定データを前記制御装置に書き込み、システム構築、プログラミング、モニタ、バージョンアップを行うエンジニアリングツールとからなる制御システムにおいて、前記設定データは、前記制御装置の外観を格納した制御装置画像データと、前記制御装置の仕様を格納した制御装置仕様データとを備え、前記エンジニアリングツールは、前記制御装置画像データと前記制御装置仕様データを表示し、前記制御定数を前記制御装置に書き込むことを特徴とするものである。
請求項２に記載の発明は、請求項１記載の制御システムにおいて、前記エンジニアリングツールは、パーソナルコンピュータ上で動作することを特徴とするものである。
請求項３に記載の発明は、請求項１記載の制御システムにおいて、前記エンジニアリングツールは、パネルコンピュータ上で動作することを特徴とするものである。
請求項４に記載の発明は、制御装置の制御定数と、アプリケーションデータからなる設定データを読み込み、該制御定数を前記制御装置に書き込み、システム構築、プログラミング、モニタ、バージョンアップを行うエンジニアリングツールにおいて、前記設定データは、前記制御装置の外観を格納した制御装置画像データと、前記制御装置の仕様を格納した制御装置仕様データとを備えるとともに、前記エンジニアリングツールは、前記設定データを読込み、前記制御装置画像データと前記制御装置仕様データを表示し、前記制御定数を前記制御装置に書き込むことを特徴とするものである。
請求項５に記載の発明は、制御装置の制御定数と、アプリケーションデータからなる設定データを読み込み、該制御定数を前記制御装置に書き込み、システム構築、プログラミング、モニタ、バージョンアップを行うエンジニアリングツールの設定データ読み書き方法において、前記設定データは、前記制御装置の外観を格納した制御装置画像データと、前記制御装置の仕様を格納した制御装置仕様データとを備え、前記設定データを読込むステップと、前記制御装置画像データと前記制御装置仕様データを表示するステップと、表示されたデータの正否を確認するステップと、前記制御定数を前記制御装置に書き込むステップと、を備えることを特徴とするものである。
【発明の効果】
【０００６】
本発明によると、設定データをエンジニアリングツールが読み込むと、対応する制御装置の仕様や特徴および外観などの画像を表示し、ユーザがその情報を明示的に確認できる。このため、選択した設定データファイルの正否を判別することができ、設定データの選択の誤りを回避することができる制御システムとエンジニアリングツールの読み書き方法を提供することができる。
【発明を実施するための最良の形態】
【０００７】
以下、本発明の方法の具体的実施例について、図に基づいて説明する。
【実施例１】
【０００８】
図２は、本発明の構成を示すブロック図である。２１は設定データ、２２はパーソナルコンピュータやパネルコンピュータなどのコンピュータシステム上で動作するエンジニアリングツール、２３は制御装置である。また、２１１は選定データのなかのアプリケーションデータ、２１２は制御定数、２１３は制御装置仕様データ、２１４は制御装置画像データである。また、２２１はエンジニアリングツールの中にあって、制御定数格納領域、２２２は設定データ表示部である。さらに、２２２１は制御装置仕様表示部、２２２２は画像装置画像表示部である。
次に動作について説明する。ユーザがエンジニアリングツール２２を用いて、使用する制御装置に適合した設定データを選択することで、選択された設定データのアプリケーションデータ２１１の内容に従って制御定数２１２をエンジニアリングツール内部の制御定数格納領域２２１に読み込み、制御装置仕様データ２１３を読み込み、設定データ表示部２２２の制御装置仕様表示部２２２１に表示し、制御装置画像データ２１４を読み込み、制御装置画像表示部２２２２に表示する。ユーザは設定データ表示表示部２２２の内容を確認し、選択したファイルの正否を判別した後、前記制御定数２２１を制御装置２３に書き込む。
次に図４に設定データの読み書き方法のフローチャートを示す。図４において、まずステップＳＴ１で外部にある設定データをエンジニアリングツールが読み込み、アプリケーションデータに従って、設定データの制御定数を制御定数格納領域に格納する。次にステップＳＴ２でエンジニアリングツールは制御データの制御装置画像データを制御装置画像表示部へ表示する。次にステップＳＴ３でエンジニアリングツールは制御データの制御装置仕様データを制御装置仕様表示部へ表示する。ここで、ステップＳＴ２とステップＳＴ３は順序が逆でもよい。次に、ステップＳＴ４でユーザであるオペレータは制御装置画像データと制御装置仕様データが正しいかどうか確認する。正しければステップＳＴ５でエンジニアリングツールが制御定数を制御装置に書き込む。制御装置は書き込まれた制御定数に従って運転を開始するという手順で設定データの読み書きを行う。
このように、設定データをエンジニアリングツールに読み込むと、対応する制御装置の仕様や特徴および外観などの画像を表示し、ユーザがその情報を明示的に確認できることで、選択した設定データの正否を判別することができ、設定データの選択の誤りを回避することができる。
【産業上の利用可能性】
【０００９】
本発明によると、選択した設定データの正否を判別することができ、設定データの選択誤りを回避できる制御システムとエンジニアリングツールの読み書き方法を提供できるので、一般的な制御装置への適用が期待できる。
【図面の簡単な説明】
【００１０】
【図１】従来の制御システムのブロック図
【図２】本発明の制御システムのブロック図
【図３】空調機に利用した従来例のブロック図
【図４】本発明の設定データの読み書き方法のフローチャート
【符号の説明】
【００１１】
１１、２１  設定データ
１２、２２  エンジニアリングツール
１３、２３  制御装置
１１１、２１１  アプリケーションデータ
１１２、２１２  制御定数
１２１、２２１  制御定数格納領域
２１３  制御装置仕様データ
２１４  制御装置画像データ
２２２  設定データ表示部
２２２１  制御装置仕様表示部
２２２２  制御装置画像表示部
【図１】
2007086933.tif 000003
【図２】
2007086933.tif 000004
【図３】
2007086933.tif 000005
【図４】
2007086933.tif 000006